(57)【要約】  【課題】背凭れを支持する椅子にオプション部品の取付部を着脱可能に装着し得る椅子において、見栄えを大きく損なうことなくオプション部品を設けるようにする。  【解決手段】背凭れ７を支持する背フレーム６にオプション部品たるハンガー２の取付部２３を着脱可能に装着し得る椅子Ｃにおいて、前記ハンガー２の取付部２３に、背フレーム６の外面たる縦フレーム部６１、６１の背面６１ａ、６１ａと連続する背面２３ａを備えるようにする。  【選択図】図１
2009279305.tif 000002
【特許請求の範囲】
【請求項１】
背凭れを支持する背フレームにオプション部品の取付部を着脱可能に装着し得る椅子であって、前記オプション部品の取付部が、背フレームの外面と面一に連続していることを特徴とする椅子。
【請求項２】
背フレームが、フレーム本体と、このフレーム本体に対して着脱可能な装脱部とを備えたものであり、前記装脱部に代えてオプション部品の取付部をフレーム本体に装着し得るように構成している請求項１記載の椅子。
【請求項３】
背凭れの後方に背フレームの少なくとも一部が離間して存在する椅子において、前記背凭れから離間している背フレームの一部に前記装脱部を設けている請求項２記載の椅子。
【請求項４】
装脱部が、背フレームの一部をなす横フレームであり、オプション部品の取付部が前記横フレームに相当する形態をなしている請求項２又は３記載の椅子。
【請求項５】
オプション部品がハンガーである請求項１、２、３又は４記載の椅子。
【請求項６】
複数種類のオプション部品を用意しておき、それらオプション部品を前記挿脱部に代えてフレーム本体に選択的に装着し得るように構成している請求項１、２、３又は４記載の椅子。
【請求項７】
オプション部品の一つがハンガーである請求項６記載の椅子。
【発明の詳細な説明】
【技術分野】
【０００１】
本発明は、背凭れを支持する背フレームにオプション部品を着脱可能な椅子に関する。
【背景技術】
【０００２】
従来、背凭れ、ないし背凭れを支持する背フレームにハンガーやヘッドレスト等のオプション部品を後づけ可能なものが種々考えられてきている。このような椅子として、例えば、背凭れの背面に取付部としてハンガー取付具を設け、このハンガー取付具にオプション部品たるハンガーを支持させるものが挙げられる（例えば、特許文献１を参照）。
【特許文献１】特開２００４−１７４１４５号公報
【発明の開示】
【発明が解決しようとする課題】
【０００３】
ところで、特許文献１記載の構成では、背凭れの背面に取付部たるハンガー取付具を突出させて設けるようにしているが、このような構成を採用した場合、前記ハンガー取付具が大きく目立ち、見栄えが損なわれると感じられることがある。加えて、このような椅子の背凭れに、さらにヘッドレスト等の他のオプション部品を取り付けると、他のオプション部品の取付部も大きく目立ち、見栄えがさらに損なわれる不具合も発生し得る。
【０００４】
本発明は、以上に述べた課題を解決することを目的としている。
【課題を解決するための手段】
【０００５】
本発明にかかる椅子は、以上の課題を解決するために、背凭れを支持する背フレームにオプション部品の取付部を着脱可能に装着し得る椅子であって、前記オプション部品の取付部が、背フレームの外面と面一に連続しているものである。
【０００６】
このようなものであれば、オプション部品の取付部を背フレームの外面と面一に連続させているので、オプション部品と背フレームとを一体に形成しているように見せることができる。
【０００７】
なお、本発明における「取付部が背フレームの外面と面一に連続している」とは、取付部に隣接する部位が背フレームの外面と面一に連続しているもの、及び取付部又は取付部に隣接する部位と背フレームの外面との間に目地が介在しているものも含む。
【０００８】
以上の課題を解決する上で、オプション部品と背フレームとの一体感をさらに高めるには、背フレームが、フレーム本体と、このフレーム本体に対して着脱可能な装脱部とを備えたものであり、前記装脱部に代えてオプション部品の取付部をフレーム本体に装着し得るように構成しているものが望ましい。
【０００９】
さらに以上の課題を解決するにあたり、背凭れの強度を確保するには、背凭れの後方に背フレームの少なくとも一部が離間して存在する椅子において、前記背凭れから離間している背フレームの一部に前記装脱部を設けているものが望ましい。このようなものであれば、前記挿脱部が背凭れからの着座者の荷重を直接受けることはないからである。
【００１０】
また、以上の課題を解決するにあたり、設計の自由度の向上を図るには、装脱部が、背フレームの一部をなす横フレームであり、オプション部品の取付部が前記横フレームに相当する形態をなしているものが望ましい。縦フレームと比較して、横フレームが受ける負荷は小さく、従ってオプション部品の取付部が確保すべき強度は比較的低くて済むからである。
【００１１】
このような椅子のオプション部品として好適なものの一例として、オプション部品がハンガーであるものが挙げられる。
【００１２】
以上の課題をさらに解決する上で、種々の使用態様に対応できるようにするには、複数種類のオプション部品を用意しておき、それらオプション部品を前記挿脱部に代えてフレーム本体に選択的に装着し得るように構成しているものが望ましい。
【００１３】
前段で述べたような椅子として好適なものの一例として、オプション部品の一つがハンガーであるものが挙げられる。
【発明の効果】
【００１４】
本発明の椅子の構成によれば、オプション部品の取付部を背フレームの外面と面一に連続させているので、オプション部品と背フレームとを一体に形成しているように見せることができ、従って、オプション部品の取付部が大きく目立つことなく、このような椅子の見栄えを整えることができる。
【発明を実施するための最良の形態】
【００１５】
以下、本発明の一実施の形態について図面を参照して説明する。
【００１６】
本実施形態に係る椅子Ｃは、図１及び図２に示すように、椅子本体１にオプション部品たるハンガー２を着脱可能に設けたものである。なお、前記図１において、ハンガー２は想像線により示している。
【００１７】
椅子本体１は、図１に示すように、脚体３上に基体４を支持させ、その基体４上に座５を設けるとともに、前記基体４に背フレーム６を前後傾動可能に枢着し、その背フレーム６に背凭れ７を支持させたものである。
【００１８】
背フレーム６は、図１及び図２に示すように、基端を前記基体４に枢着した対をなす縦フレーム部６１、６１と、それら両縦フレーム６１、６１部の上端部間に架設した横フレーム部６２とを備えたものである。この横フレーム部６２は、背凭れ７の後方に離間しているとともに、前記縦フレーム部６１、６１に対して着脱可能である。また、この横フレーム部６２の背面６２ａは、前記縦フレーム部６１、６１の背面６１ａ、６１ａと連続している。さらに詳述すると、図３に示すように、横フレーム部６２は、その下面に下方に開口する凹部６２ｘを有するとともに、この凹部６２ｘの前後両側縁部にさらに深さ寸法を増大させて設けた溝部６２ｍ、６２ｍを有する。また、この凹部６２ｘの上方には、止着部を形成する板ナット６３を挿入可能な板ナット挿入口６２ｙを設けている。一方、縦フレーム部６１は、その上端部に前記凹部６２ｘに係合可能な係合突起６１１を有する。この係合突起６１１は、前記溝部６２ｍに係合可能な起立部６１１ａ及び前記凹部６２ｘの底面に当接可能な平板部６１１ｂを備えた係合突起６１１を有する。さらに、この係合突起６１１には、雄ねじ部材６４を挿通可能なねじ挿通孔６１１ｘを設けている。また、前記横フレーム部６２の前記凹部６２ｘにも、雄ねじ部材６４を挿通可能な図示しないねじ挿通孔を設けている。そして、前記係合突起６１１、６１１を前記凹部６２ｘ、６２ｘに係合させるとともに、前記係合突起６１１のねじ挿通孔６１１ｘ及び前記凹部６２ｘのねじ挿通孔を重合させた状態でこれらのねじ挿通孔に雄ねじ部材６４を挿通させ、この雄ねじ部材６４を前記板ナット挿入口６２ｙに挿入した板ナット６３の雌ねじ孔６３ｘに螺着することにより、これら縦フレーム部６１、６１及び横フレーム部６２を接続するようにしている。なお、前記縦フレーム部６１、６１は本発明のフレーム本体、前記横フレーム部６２は本発明の装脱部にそれぞれ対応する。
【００１９】
背凭れ７は、図１に示すように、背フレーム６に対応させて門型に形成した枠部７１と、その枠部７１間に設けた張り部材７２とを備えたものである。背凭れ７の下端部は、前記縦フレーム部６１の前面に上下方向にスライド可能に支持されているとともに、上端部は図示しない止着具を介して縦フレーム６１の前面に着脱可能に止着されている。
【００２０】
このような椅子において、図２に示すように、前記背フレーム６にオプション部品たるハンガー２の取付部２３を着脱可能に装着しうるようにしている。
【００２１】
ハンガー２は、図１の想像線及び図２に示すように、衣類を掛けることができるハンガー本体２１と、このハンガー本体２１を支持するためのハンガー脚２２と、このハンガー脚２２を椅子本体１に取り付けるための取付部２３とを具備してなる。そして、この取付部２３を前記横フレーム部６２に代えて前記縦フレーム部６１、６１に装着することにより、このハンガー２が椅子本体１に取り付けられるようにしている。
【００２２】
しかして本実施形態では、前記取付部２３の背面２３ａは、ハンガー２を椅子本体１に取り付けた状態で、背フレーム６の外面、より具体的には縦フレーム部６１、６１の背面６１ａ、６１ａと連続する。さらに詳述すると、この取付部２３は、前記横フレーム部６２に相当する形態、すなわちほぼ同様の形態をなしている。そして、上述した横フレーム部６２の縦フレーム部６１、６１に対する取付態様と全く同様の取付態様によってこの取付部２３を縦フレーム部６１、６１に接続することによりハンガー２を椅子本体１に装着するようにしている。
【００２３】
具体的には、前記取付部２３は、前記図１及び図２に示すように、前記横フレーム部６２と全く同一の形状及び構成を有する。前記図３には、横フレーム部６２に代えて取付部２３を縦フレーム部６１、６１に接続する場合の取付部２３の各部の符号を括弧内に示している。
【００２４】
すなわち、この取付部２３は、その下面に下方に開口する凹部２３ｘを有するとともに、この凹部２３ｘの前後両側縁部にさらに深さ寸法を増大させて設けた溝部２３ｍ、２３ｍを有する。また、この凹部２３ｘの上方には、止着部を形成する板ナット６３を挿入可能な板ナット挿入口２３ｙを設けている。さらに、前記凹部２３ｘには、雄ねじ部材６４を挿通可能なねじ挿通孔を設けられている。そして、前記縦フレーム部６１、６１の係合突起６１１、６１１を前記凹部２３ｘ、２３ｘと係合させるとともに、前記ねじ挿通孔に雄ねじ部材６４を挿通させ、この雄ねじ部材６４を前記板ナット挿入口２３ｙに挿入した板ナット６３に螺着することにより、これら縦フレーム部６１、６１及び取付部２３を接続するようにしている。すなわち、このようにしてハンガー２を背フレーム６に取り付けるようにしている。
【００２５】
すなわち本実施形態に係る椅子の構成によれば、ハンガー２の取付部２３の背面２３ａを背フレーム６の外面、具体的には縦フレーム部６１、６１の背面６１ａ，６１ａと連続させることにより、ハンガー２と背フレーム６とを一体に形成しているように見せることができ、従って、ハンガー２の取付部２３が大きく目立つことなく、このような椅子Ｃの見栄えを整えることができる。
【００２６】
また、背フレーム６が、縦フレーム部６１、６１と、この縦フレーム部６１、６１に対して着脱可能な横フレーム部６２とを備え、この横フレーム部６２に代えてハンガー２の取付部２３を縦フレーム部６１、６１に装着し得るように構成しているので、ハンガー２と背フレーム６との一体感をさらに高めることができる。
【００２７】
加えて、背凭れ７の後方に背フレーム６の横フレーム部６２が離間して存在し、この横フレーム部６２を縦フレーム部６１、６１に対して装脱可能にしているので、横フレーム６２部が背凭れ７からの着座者の荷重を直接受けることはなく、このような横フレーム部６２を装脱可能にしても背凭れ７の強度は確保することができる。さらに、縦フレーム部６１、６１と比較して、横フレーム部６２が受ける負荷は小さく、従ってハンガー２の取付部２３が確保すべき強度は比較的低くて済むので、設計の自由度の向上を図ることもできる。
【００２８】
なお、本発明は以上に述べた実施形態に限らない。
【００２９】
例えば、種々の使用態様に対応できるようにすべく、複数種類のオプション部品を用意しておき、それらオプション部品を前記挿脱部に代えてフレーム本体に選択的に装着し得るように構成してもよい。一例として、上述した実施形態における椅子Ｃのオプション部品として、図４に示すように、ハンガー２の他にヘッドレスト８を用意してもよい。すなわち、このようなヘッドレスト８に、ヘッドレスト本体８１と、このヘッドレスト本体８１を支持するためのヘッドレスト脚８２と、このヘッドレスト脚８２を椅子本体１に取り付けるための取付部８３とを具備させるとともに、この取付部８３を前記横フレーム部６２に代えて前記縦フレーム部６１、６１に装着することにより、このヘッドレスト８と前記ハンガー２とを椅子本体１に選択的に取り付けられるようにしてもよい。このような構成であっても、前記取付部８３が椅子本体１の背フレーム６の外面と連続する、例えば、この取付部８３の背面８３ａが縦フレーム部６１、６１の背面６１ａ、６１ａと連続するものであれば、上述した実施形態に係る椅子Ｃの構成の効果を得ることはできる。
【００３０】
さらに、図示はしないが、ハンガー本体と、このハンガー本体を支持するためのハンガー脚と、ヘッドレスト本体と、このヘッドレスト本体を支持するためのヘッドレスト脚と、前記ハンガー脚及び前記ヘッドレスト脚を同時に椅子本体に取り付けるための取付部とを一体に有するオプション部品を採用してもよい。その他、音響スピーカ等をオプション部品として採用してもよい。
【００３１】
また、図５に全体斜視図、図６に分解斜視図、図７に要部の側面図をそれぞれ示すように、椅子本体Ａ１が、基体Ａ４に背フレームＡ６を１本のみ枢着させているとともに、背フレームＡ６の上端部に板状に延伸させて設けた取付部Ａ６１ａ及びこの取付部Ａ６１ａと背凭れＡ７とを接続する接合部Ａ６１ｂとを有する接続部Ａ６１を介してこの背フレームＡ６に背凭れＡ７を接続させ、前記接続部Ａ６１をカバーＡ６２により隠蔽するとともに、このカバーＡ６２の背フレームＡ６への取り付けを、該カバーＡ６２に設けた係合突起Ａ６２１と前記背フレームＡ６に形成した取付孔Ａ６ｘとを係合させることにより行うようにしている椅子Ｃ２において、以下のような構成を採用してもよい。すなわち、この背フレームＡ６の上端部に、前記カバーＡ６２に代えてオプション部品、例えば、ハンガーＡ２を装脱可能に取り付け可能にするとよい。この態様に係るハンガーＡ２は、ハンガー本体Ａ２１と、このハンガー本体Ａ２１を支持するためのハンガー脚Ａ２２と、このハンガー脚Ａ２２の下端部及びその近傍に形成してなり、該ハンガー脚Ａ２２を椅子本体１に取り付けるための取付部Ａ２３とを具備するとともに、このハンガーＡ２の取付部Ａ２３に、前記背フレームＡ６に形成した取付孔Ａ６ｘと係合可能な係合突起Ａ２３１、及び背フレームＡ６に連続する面を備えている。具体的には、取付部Ａ２３の背面Ａ２３ａと背フレームＡ６の背面Ａ６ａとを連続させている。このような態様であっても、ハンガーＡ２の取付部Ａ２３の背面Ａ２３ａと背フレームＡ６の背面Ａ６ａとを連続させているので、ハンガーＡ２と背フレームＡ６とを一体に形成しているように見せることができる。従って、ハンガーＡ２の取付部Ａ２３が大きく目立つことなく、このような椅子Ｃ２の見栄えを整えることができる。なお、この態様では、背フレームＡ６のカバーＡ６２が本発明の装脱部、背フレームＡ６の他の部分が本発明のフレーム本体にそれぞれ対応する。
【００３２】
また、図８に分解斜視図、図９に要部の側面図をそれぞれ示すように、椅子本体Ａ１０が左右１対の背フレームＡ６０を有するとともに、これら背フレームＡ６０、Ａ６０の上端部に板状に延伸させて設けた取付部Ａ６０１ａ及びこの取付部Ａ６０１ａと背凭れＡ７０とを接続する接合部Ａ６０１ｂとをそれぞれ有する接続部Ａ６０１、Ａ６０１を介してこの背フレームＡ６０、Ａ６０に背凭れＡ７０を接続させ、通常は前記接続部Ａ６１、Ａ６１に横架材Ａ６０２の両端部を接続してこの横架材Ａ６０２により接続部Ａ６０１、Ａ６０１を隠蔽するようにしている椅子Ｃ２０において、以下のような構成を採用してもよい。すなわち、前記横架材Ａ８に代えて、オプション部品、例えば、ハンガーＡ２０を装脱可能に取り付け可能にするとよい。この態様に係るハンガーＡ２０は、ハンガー本体Ａ２０１と、このハンガー本体Ａ２０１を支持するための左右１対のハンガー脚Ａ２０２と、このハンガー脚Ａ２０２の下端部及びその近傍に形成してなり、該ハンガー脚Ａ２０２を椅子本体１に取り付けるための取付部Ａ２０３とを具備するとともに、このハンガーＡ２０の取付部Ａ２３０に、前記背フレームＡ６０に形成した取付孔Ａ６０ｘと係合可能な係合突起Ａ２３０１、及び背フレームＡ６０に連続する面を備えている。具体的には、取付部Ａ２０３の背面Ａ２０３ａと背フレームＡ６０の背面Ａ６０ａとを連続させている。この態様では、ハンガーＡ２０により左右の背フレームＡ６０を接続している。このような態様であっても、ハンガーＡ２０の取付部Ａ２０３の背面Ａ２０３ａと背フレームＡ６０の背面Ａ６０ａとを連続させているので、ハンガーＡ２０と背フレームＡ６０とを一体に形成しているように見せることができる。従って、ハンガーＡ２０の取付部Ａ２０３が大きく目立つことなく、このような椅子Ｃ２０の見栄えを整えることができる。なお、この態様では、横架材Ａ６０２が本発明の装脱部、背フレームＡ６０の他の部分が本発明のフレーム本体にそれぞれ対応する。
【００３３】
さらに、図１０に全体斜視図、図１１に分解斜視図、図１２に要部の側面図をそれぞれ示すように、基体Ｂ４に背フレームＢ６を１本のみ枢着させているとともにこの背フレームＢ６前方に離間させて背凭れＢ７を配してなる椅子本体Ｂ１を有し、背フレームＢ６に、背フレーム本体Ｂ６１と、この背フレーム本体Ｂ６１よりも幅寸法が小さく前記背凭れＢ７を支持する連結部Ｂ６２とを備える椅子Ｃ３を以下のように構成してもよい。すなわち、ハンガー本体Ｂ２１と、このハンガー本体Ｂ２１を支持するためのハンガー脚Ｂ２２と、このハンガー脚Ｂ２２の下端に設けられ前記連結部Ｂ６２に抱着することにより該ハンガー脚Ｂ２２を椅子本体Ｂ１に取り付けるための取付部Ｂ２３とを具備するハンガーＢ２をオプション部品として用意するとともに、この取付部Ｂ２３の上端部の外面Ｂ２３ａを背フレーム本体Ｂ６１の背面Ｂ６１ａに連続させるようにしてもよい。ここで、前記取付部Ｂ２３は、その下部に前記連結部Ｂ６２に抱着させてなる一対の抱着片Ｂ２３１、Ｂ２３２を有するとともに、これら抱着片Ｂ２３１、Ｂ２３２の下端部間の空間の幅寸法を前記連結部Ｂ６２の幅寸法より小さくして抜け止めを図っている。さらに、一方の抱着片Ｂ２３１の下端部にはねじ挿通孔Ｂ２３ｘを設けている。また、他方の抱着片Ｂ２３２の下端部には雌ねじ孔Ｂ２３ｙを設けている。そして、雄ねじ部材Ｂ２３３を、前記ねじ挿通孔Ｂ２３ｘに挿通させて前記雌ねじ孔Ｂ２３ｙに螺着することによりハンガーＢ２を椅子本体Ｂ１に取り付けるようにしている。このような態様であっても、ハンガーＢ２の取付部Ｂ２３の背面Ｂ２３ａと背フレーム本体Ｂ６１の背面Ｂ６１ａとを連続させているので、ハンガーＢ２と背フレームＢ６とを一体に形成しているように見せることができる。従って、ハンガーＢ２の取付部Ｂ２３が大きく目立つことなく、このような椅子Ｃ３の見栄えを整えることができる。
【００３４】
加えて、図１３に示すように、ハンガー本体２１の幅方向両端に、ハンガー２全体の幅寸法を変更可能にすべく幅調整部材２４を同図の実線に示す位置と同図の想像線に示す位置との間でスライド可能に取り付けるようにしてもよい。このような幅調整部材２４の構成としては、例えば、図示は省略するが、下方に開口する略有底筒状とともに開口端縁に前記ハンガー本体２１の下面に弾性係合可能な係止爪を有し、この係止爪を前記ハンガー本体２１の下面に弾性係合させることによりハンガー本体２１の両端部を上方から被覆するように取り付け可能な構成が考えられる。このような構成であれば、幅調整部材２４をハンガー本体２１に当接させたまま、ハンガー本体２１を幅調整部材２４の移動方向をガイドするガイド部材として幅調整部材２４をスライド移動させることにより、ハンガー２全体の幅寸法を調整することができる。
【００３５】
その他、各部の具体的構成についても上記実施形態に限られるものではなく、本発明の趣旨を逸脱しない範囲で種々変形が可能である。
【図面の簡単な説明】
【００３６】
【図１】本発明の一実施形態に係る椅子を示す全体斜視図。
【図２】同実施形態に係る椅子の分解斜視図。
【図３】同実施形態に係る椅子の背フレームの接続態様を示す図。
【図４】同実施形態の変形例に係る椅子の分解斜視図。
【図５】本発明の第二実施形態に係る椅子を示す全体斜視図。
【図６】同実施形態に係る椅子の分解斜視図。
【図７】同実施形態に係る椅子の要部の側面図。
【図８】本発明の第三実施形態に係る椅子の分解斜視図。
【図９】同実施形態に係る椅子の要部の側面図。
【図１０】本発明の第四実施形態に係る椅子を示す全体斜視図。
【図１１】同実施形態に係る椅子の分解斜視図。
【図１２】同実施形態に係る椅子の要部の側面図。
【図１３】本発明の他の実施態様に係る椅子を示す全体斜視図。
【符号の説明】
【００３７】
Ｃ、Ｃ２、Ｃ２０、Ｃ３…椅子
２、Ａ２、Ａ２０、Ｂ２…ハンガー（オプション部品）
２３、Ａ２３、Ａ２０３、Ｂ２３…取付部
２３ａ、Ａ２３ａ、Ａ２０３ａ、Ｂ２３ａ…取付部の背面（取付部の外面）
６、Ａ６、Ａ６０、Ｂ６…背フレーム
６１…縦フレーム部（フレーム本体）
６１ａ…縦フレーム部の背面（背フレームの外面）
Ａ６ａ、Ａ６０ａ、Ｂ６ａ…背フレームの背面（背フレームの外面）
６２…横フレーム部（装脱部）
７、Ａ７、Ａ７０、Ｂ７…背凭れ
【図１】
2009279305.tif 000003
【図２】
2009279305.tif 000004
【図３】
2009279305.tif 000005
【図４】
2009279305.tif 000006
【図５】
2009279305.tif 000007
【図６】
2009279305.tif 000008
【図７】
2009279305.tif 000009
【図８】
2009279305.tif 000010
【図９】
2009279305.tif 000011
【図１０】
2009279305.tif 000012
【図１１】
2009279305.tif 000013
【図１２】
2009279305.tif 000014
【図１３】
2009279305.tif 000015